(57)【特許請求の範囲】
【請求項１】
湿気硬化型ホットメルト接着剤を収容する空間部を有する内側容器、
開口部及び内側容器を完全に収容する開放空間を有する外側容器、並びに
外側容器の開口部を閉じるカバー
から構成される湿気硬化型ホットメルト接着剤用コンテナであって、
内側容器は、プラスチックから製造され、耐熱性で、その空間部を規定する内側表面が離型処理されており、再利用可能であり、
外側容器は、金属から製造され、湿気遮断性で、再利用可能であり、
カバーは、金属とプラスチックのラミネートから製造され、湿気遮断性であり、
カバーと外側容器は湿気遮断状態で接着されて、内側容器を完全に収容する外側容器の開口部が閉じられる湿気硬化型ホットメルト接着剤用コンテナ。
【請求項２】
内側容器は、８０℃以上の耐熱性を有することを特徴とする請求項１記載の湿気硬化型ホットメルト接着剤用コンテナ。
【請求項３】
外側容器は、開口部の周囲にフランジを有することを特徴とする請求項１又は２記載の湿気硬化型ホットメルト接着剤用コンテナ。
【請求項４】
外側容器は、開口部に隣接して側面に窪みを有することを特徴とする請求項１〜３のいずれかに記載の湿気硬化型ホットメルト接着剤用コンテナ。
【請求項５】
内側容器と外側容器は、共に錐台であって、開口部の面積が底部の面積よりも大きい形状を有することを特徴とする請求項１〜４のいずれかに記載の湿気硬化型ホットメルト接着剤用コンテナ。
【請求項６】
カバーと外側容器は、ヒートシールによって湿気遮断状態で接着されることを特徴とする請求項１〜５のいずれかに記載の湿気硬化型ホットメルト接着剤用コンテナ。
【請求項７】
湿気硬化型ホットメルト接着剤を含み、カバーと外側容器は湿気遮断状態で接着されて、外側容器の開口部が閉じられている請求項１〜６のいずれかに記載の湿気硬化型ホットメルト接着剤用コンテナ。
【発明の詳細な説明】
【０００１】
【発明の属する技術分野】
本発明は、湿気硬化型ホットメルト接着剤のコンテナ（又は容器）に関し、更に、湿気硬化型ホットメルト接着剤を充填し搬送するためのコンテナに関し、特に、反応性ウレタン樹脂系湿気硬化型ホットメルト接着剤を充填し搬送するためのコンテナに関する。
【０００２】
【従来の技術】
湿気硬化型ホットメルト接着剤は、種々の基材の接着及び建材の製造等に使用される。このような湿気硬化型ホットメルト接着剤は、通常、上面に開口部を有する金属製のペール缶等に溶融状態にて充填し、開口部に蓋をした後、固化せしめ、ペール缶に入れたままユーザーに提供される。
【０００３】
ペール缶に入れられた湿気硬化型ホットメルト接着剤が空気中の水分と反応して、その表面に硬化した層を形成しないよう、ペール缶の蓋は、湿気を遮断するように行う必要がある。この湿気遮断性に蓋をする方法には、ペール缶の開口部の形状によって種々の方法がある。例えば、開口部に、まずプラスチック製の密封用内蓋を嵌めた後、さらに内蓋を覆うように金属製の外蓋を嵌める方法がある。この方法では、更に、ペール缶を運搬し、また保管する時は、外蓋の外周に金属製のリング状の枠を嵌める。このようなペール缶に入れられた湿気硬化型ホットメルト接着剤を取り出して使用する時は、通常、ペール缶全体をヒーター等を用いて加熱してホットメルト接着剤を溶融した後、リング状の枠、外蓋及び内蓋を開口部から取りはずし、加熱溶融された湿気硬化型ホットメルト接着剤を取り出して使用する。
【０００４】
このようなペール缶の開口部を湿気遮断性に蓋をする方法では、固化した湿気硬化型ホットメルト接着剤を使用する場合、ペール缶から取り出すために湿気硬化型ホットメルト接着剤を加熱溶融することが必要である。従って、固化した湿気硬化型ホットメルト接着剤を加熱溶融するためのヒータ等の加熱装置が必要であり、加熱溶融させたホットメルト接着剤をペール缶から取り出すために蓋等を取り外す工程が必要なので、コストがかかる、湿気硬化型ホットメルト接着剤の取り出し作業が煩雑である等の問題があった。更に、ペール缶の内部に湿気硬化型ホットメルト接着剤の一部が付着したまま残るため、ホットメルト接着剤を完全にペール缶から取り出すことは困難であった。
【０００５】
そこで、上述の問題を解決するために湿気硬化型ホットメルト接着剤を固化した状態のまま容器から取り出して使用できる湿気硬化型ホットメルト接着剤用容器として、プラスチック製で、フランジ部分を有する容器本体と、その開口部を密封するプラスチック製のフィルムによって構成される容器を考えることができ、通常のホットメルト接着剤用の容器として、そのような容器が使用されている。しかし、この容器は、プラスチック製であるために、湿気遮断性が不十分であり得、容器内に空気中の水分が浸入して湿気硬化型ホットメルト接着剤と水分が反応して生ずる硬化した層が形成され得る。また、湿気硬化型ホットメルト接着剤はイソシアネート成分を含む毒性を有する有害ガスを発生する場合があり、外部に有毒なガスが漏洩することも有り得る。更に、フィルムの破損及び容器の本体の破損も生じ得、この場合も上述と同様な問題を生じ得る。
【０００６】
上述のフィルムで密封される容器の有する問題を解決するために、容器を入れる密封袋が提案されている（特開平１１−１２４１７２号公報参照）。この密封袋は、その少なくとも内面が、硫酸マグネシウム、酸化アルミニウム、酸化バリウム、酸化カルシウム及び酸化珪素からなる群から選ばれた少なくとも一つ、並びに熱可塑性樹脂を含有する樹脂組成物からなる薄膜で形成されている。しかし、この密封袋を用いると、袋に入れる前に容器内の湿気硬化性ホットメルト接着剤を冷却して固化する必要が有る、湿気硬化性ホットメルト接着剤を充填した容器を袋に入れる手間及び使用時に容器を袋から取り出す手間が必要であり、取り扱いに手間を要するという問題が有る。更に、この密封袋は、必ずしもリサイクルに適さないので、地球環境保護の観点からも問題があった。
【０００７】
【発明が解決しようとする課題】
本発明は、上記課題を解決するためになされたもので、従来の容器と比較して、密閉を十分に行うことができない、容器の破損を生じやすい、取り扱いに手間がかかる、更に、リサイクルに必ずしも適さないという問題から選択される少なくとも一種が向上された湿気硬化型ホットメルト接着剤用コンテナ（又は容器）を提供することを目的とする。
【０００８】
【課題を解決するための手段】
本発明者は、従来の容器及び密閉袋等について種々検討した結果、特定の特性を有する内側容器及び外側容器と、特定の性質を有するカバーを用いることで、密閉袋を用いることなく目的とするコンテナを得ることができることを見出し、本発明を完成するに至ったものである。
【０００９】
本発明は、一の要旨において、
湿気硬化型ホットメルト接着剤を収容する空間部を有する内側容器、
開口部及び内側容器を完全に収容する開放空間を有する外側容器、並びに
外側容器の開口部を閉じるカバー
から構成される湿気硬化型ホットメルト接着剤用コンテナであって、
内側容器は、耐熱性で、その空間部を規定する内側表面が離型処理されており、
外側容器は、湿気遮断性であり、
カバーは、湿気遮断性であり、
カバーと外側容器は湿気遮断状態で接着されて、外側容器の開口部が閉じられるコンテナを提供する。
【００１０】
本発明の一の態様において、内側容器は、８０℃以上の耐熱性を有する湿気硬化型ホットメルト接着剤用コンテナを提供する。
更に、本発明の他の態様において、外側容器は、開口部の周囲にフランジを有する湿気硬化型ホットメルト接着剤用コンテナを提供する。
また、本発明の他の一の態様において、外側容器は、開口部に隣接して側面に窪みを有する湿気硬化型ホットメルト接着剤用コンテナを提供する。
更にまた、本発明の好ましい態様において、内側容器と外側容器は、共に錐台であって、開口部の面積が底部の面積よりも大きい形状を有する湿気硬化型ホットメルト接着剤用コンテナを提供する。
更に、本発明の好ましい他の態様において、カバーと外側容器の開口部は、ヒートシールによって湿気遮断状態で接着される湿気硬化型ホットメルト接着剤用コンテナを提供する。
尚、上述のコンテナにおいて、湿気硬化型ホットメルト接着剤を含み、カバーと外側容器は湿気遮断状態で接着されて、外側容器の開口部が閉じられているコンテナをも提供する。
【００１１】
【発明の実施の形態】
本発明において「湿気硬化型ホットメルト接着剤」とは、いわゆる「ホットメルト接着剤」であって、「湿気硬化型」とよばれるものであれば、特に制限されるものではない。「湿気硬化型ホットメルト接着剤」として、例えば、反応性ウレタン樹脂系湿気硬化型ホットメルト接着剤及び反応性シリコン樹脂系湿気硬化型ホットメルト接着剤を例示でき、反応性ウレタン樹脂系湿気硬化型ホットメルト接着剤が好ましい。
【００１２】
本発明において「内側容器」とは、湿気硬化型ホットメルト接着剤を収容する空間部を有するものであって、耐熱性で、その空間部を規定する内側表面が離型処理されているものであれば、特に制限されるものではない。「内側容器」に、湿気硬化型ホットメルト接着剤を入れるので、「内側容器」はそのための空間部を有する。この「空間部」の大きさ及び形状は、湿気硬化型ホットメルト接着剤を収容することができるものであれば、特に制限されるものではない。
【００１３】
「内側容器」に湿気硬化型ホットメルト接着剤を収容する場合、通常、湿気硬化型ホットメルト接着剤を加熱溶融して充填するので、「内側容器」に耐熱性が要求されるが、耐熱性の程度は、湿気硬化型ホットメルト接着剤を充填する温度によって、適宜選択することができる。内側容器の「耐熱性」は、８０℃以上であるのが好ましく、１００℃以上であるのがより好ましく、１３０℃以上であるのが特に好ましい。尚、本明細書において「耐熱性」とは、加熱溶融状態の接着剤を充填する際に、容器が熱によって溶融しないことをいい、好ましくは容器が熱によって軟化しないことをいい、特に好ましくは容器が熱によって形状の変化を生じないこと、即ち、加熱されたとしても容器が元の形状を保っていることをいう。
【００１４】
また、「内側容器」の、湿気硬化型ホットメルト接着剤を収容するための空間を規定する内側表面は、充填した湿気硬化型ホットメルト接着剤を容易に取り出すために、離型処理がされている。「離型処理」とは、通常「離型処理」として用いられる方法であれば特に制限されるものではないが、例えば、シリコーン処理及びフッ素処理を例示できる。
【００１５】
更に、「内側容器」は、充填した湿気硬化型ホットメルト接着剤を容易に取り出すことができる程度に、常温で、指でその開口部に応力を加えることによって、「内側容器」の壁面が湾曲等することによってその開口部の形を容易に変形することができるのが好ましい。尚、この変形した形状は、指による応力を取り除くと元の開口部の形状に復元する。
【００１６】
「内側容器」は、錐台（円錐台又は角錐台）であって、開口部の面積が底部の面積よりも大きい形状を有するのが好ましく、錐台であって、開口部の面積が底部の面積よりも大きい四角錐台の形状を有するのがより好ましく、錐台であって、開口部の面積が底部の面積よりも大きい四角錐台の形状を有し、角が面取りされているのが特に好ましい。
【００１７】
上述のような「内側容器」は、上述のような「内側容器」を得ることができる限り、特にその材料に制限されるものではない。「内側容器」は、プラスチック及び紙等から製造するのが好ましく、特に、プラスチックから製造するのが好ましい。そのような、プラスチックとして、例えば、ポリプロピレン、ポリエチレン、ポリエチレンテレフタレート（ＰＥＴ）、ポリウレタン、ポリスチレン、アクリル樹脂及びこれらの複合材料を例示することができ、ポリプロピレンが好ましい。
【００１８】
「内側容器」の製造方法は、その材料に応じて、適宜選択することができる。例えば、材料がプラスチックの場合、射出成型及びブロー成型等の既知の方法を使用することができる。また、材料が紙の場合、プレス成型及び折り曲げ加工等の既知の方法を使用することができる。「内側容器」として、適宜、市販品を使用してもよい。「内側容器」の内側表面は、離型処理がされる。
【００１９】
「内側容器」の、湿気硬化型ホットメルト接着剤を収容する空間部を規定する壁の厚さは、上述の「内側容器」を得られる限り、特に制限されるものではないが、５０〜１０００μｍが好ましく、２００〜８００μｍがより好ましく、３００〜５００μｍが特に好ましい。
また、「内側容器」の、湿気硬化型ホットメルト接着剤を収容する空間部の容積は、適宜選択することができるが、取り扱いやすさ等の理由から、１００〜５０００ｍｌであるのが好ましく、５００〜３０００ｍｌであるのがより好ましく、１０００〜２０００ｍｌであるのが特に好ましい。
【００２０】
本発明において「外側容器」とは、開口部を有し、湿気硬化型ホットメルト接着剤を収容する空間部を有する内側容器を完全に収容する開放空間を有し、湿気遮断性であれば、特に制限されるものではない。
「外側容器」は、上述の内側容器を完全に収容するために、開口部及びそのための開放空間を有する。
【００２１】
本明細書において、「湿気遮断性」とは、通常湿気遮断性とされる程度の湿気遮断性を有することを意味する。より具体的にいえば、使用した結果、従来の技術の欄にて述べたような湿気により発生する問題が生じ得ない程度に、実質的に湿気を遮断することができることを意味し、必ずしも完全に湿気を遮断することができることを意味するものではない。
【００２２】
「外側容器」も、「内側容器」と同様に、錐台（円錐台又は角錐台）であって、開口部の面積が底部の面積よりも大きい形状を有するのが好ましく、錐台であって、開口部の面積が底部の面積よりも大きい四角錐台の形状を有するのがより好ましく、錐台であって、開口部の面積が底部の面積よりも大きい四角錐台の形状を有し、角が面取りされているのが特に好ましい。
更に、「内側容器」と「外側容器」は、共に錐台（円錐台又は角錐台）であって、開口部の面積が底部の面積よりも大きい形状を有するのが好ましく、共に錐台であって、開口部の面積が底部の面積よりも大きい四角錐台の形状を有するのがより好ましく、共に錐台であって、開口部の面積が底部の面積よりも大きい四角錐台の形状を有し、角が面取りされているのが特に好ましい。
【００２３】
「外側容器」の大きさは、「内側容器」を完全に収容することから、「内側容器」より大きく、更に、「内側容器」が「外側容器」の内側にちょうど入る程度の大きさであるのが特に好ましい。
【００２４】
後述する「カバー」を用いて「外側容器」の開口部の密封を容易にすることができるように、「外側容器」は、開口部の周囲にフランジを有するのが好ましい。開口部の周囲に「フランジ」が設けられている場合、「カバー」を「フランジ」と接着することによって、「外側容器」の開口部は容易に密封することができる。「フランジ」の大きさ及び形状等は、密封を容易に行えるものであれば、特に制限されるものではなく、通常「フランジ」とされるものであれば適宜選択して利用できる。
【００２５】
「外側容器」は、内側容器の取り出しを容易にするために、開口部に隣接して側面に窪みを有するのが好ましい。「窪み」の大きさ及び形状等は、例えば、指を入れて内側容器に応力を加えることによって、常温で内側容器の形状を変形させることによって、内側容器の取り出しを容易にすることができるものであれば、特に制限されるものではなく、適宜選択することができる。
【００２６】
上述のような「外側容器」は、上述のような「外側容器」を得ることができる限り、特にその材料に制限されるものではない。「外側容器」は、例えば、金属、プラスチック、紙、木質材料及びそれらの複合材料等から製造することができるが、特に、金属から製造するのが好ましい。そのような、金属として、例えば、アルミニウム、ステンレス、銅、鉄等を例示することができ、アルミニウムが好ましい。また、プラスチック、紙、木質材料及びそれらの複合材料を用いた場合、湿気遮断性が不十分なことも有り得るので、プラスチック、紙、木質材料及びそれらの複合材料を用いて形成された外側容器の表面（内側表面及び／又は外側表面）に、湿気遮断性を保てる程度に蒸着等の方法によって金属の層を形成するのが好ましい
【００２７】
「外側容器」の製造方法は、その材料に応じて、適宜選択することができる。例えば、材料がプラスチックの場合、射出成型、ブロー成型等の既知の方法を使用することができる。また、材料が金属の場合、プレス成型、折り曲げ加工、溶接等の既知の方法を使用することができる。尚、「外側容器」として、適宜、市販品を使用してもよい。
【００２８】
「外側容器」の、湿気硬化型ホットメルト接着剤を収容する空間部を規定する壁の厚さは、上述の「外側容器」を得られる限り、特に制限されるものではないが、５０〜１０００μｍが好ましく、１００〜８００μｍがより好ましく、３００〜５００μｍが特に好ましい。
また、「外側容器」の、湿気硬化型ホットメルト接着剤を収容する空間部の容積は、適宜選択することができるが、取り扱いやすさ等の理由から、１００〜５０００ｍｌであるのが好ましく、８００〜３０００ｍｌであるのがより好ましく、１０００〜２０００ｍｌであるのが特に好ましい。
【００２９】
「外側容器」は、更に自立性であるのが好ましい。本明細書において「自立性」とは、通常の取り扱いでは破損し難いことを意味し、好ましくは上述の湿気硬化型ホットメルト接着剤を収容した内側容器を、実質的に変形することなく支えることができることを意味する、従って、「外側容器」が、「自立性」であることは、外側容器の破損を防止するために好ましい。
【００３０】
本発明において「カバー」とは、外側容器の開口部を閉じることができ、湿気遮断性であれば、特に制限されるものではない。
【００３１】
「カバー」の大きさ及び形状は、外側容器の開口部の大きさ及び形状に応じて、適宜選択することができるが、外側容器の開口部と同様の形状で、大きさは少し大きいのが好ましい。例えば、外側容器の開口部が四角形であれば、「カバー」の形状は、四角形であり、開口部より少し大きいのが好ましい。尚、「カバー」は、シート状であるのが好ましい。シート状の「カバー」の厚さは、１０〜５００μｍであるのが好ましく、５０〜３００μｍであるのがより好ましく、１００〜２００μｍであるのが特に好ましい。
また、「カバー」の「湿気遮断性」とは、上述した「湿気遮断性」と同様である。
【００３２】
更に、「カバー」は、通常の使用では、破れ難いのが好ましい。
また、「カバー」は、「外側容器」から剥し易くするために、常温で指で折り曲げ可能であるのが好ましい。
【００３３】
上述のような「カバー」は、上述のような「カバー」を得ることができる限り、特にその材料に制限されるものではない。「カバー」は、金属、並びにプラスチックもしくは紙と金属のラミネート等から製造するのが好ましいが、特に、金属とプラスチックのラミネートから製造するのが好ましい。そのような金属とプラスチックのラミネートとて、例えば、ポリプロピレン／アルミニウム／ポリエチレン、ポリプロピレン／アルミニウム／ポリプロピレン及びポリプロピレン／アルミニウム／ポリエステルを例示することができ、ポリプロピレン／アルミニウム／ポリプロピレンが好ましい。
【００３４】
「カバー」は、外側容器を湿気遮断状態で接着されるが、接着方法として後述するヒートシールが用いられて「外側容器」に接着される場合、透湿性の低い接着剤が、カバーにラミネートされているのが好ましい。そのような「透湿性の低い接着剤」として、例えば、ポリプロピレン系接着剤、ポリエチレン系接着剤、ポリエステル系接着剤、ポリアミド系接着剤及びＥＶＡ系接着剤を例示でき、ポリプロピレン系接着剤及びＥＶＡ系接着剤が好ましい。
【００３５】
本発明の「湿気硬化型ホットメルト接着剤用コンテナ」は、上述の「カバー」と「外側容器」が湿気遮断状態で接着されて、外側容器の開口部が閉じられ得る状態にあるコンテナ、即ち、内側容器、外側容器及びカバーの組み合わせを意味する。
【００３６】
更に、本発明の「湿気硬化型ホットメルト接着剤用コンテナ」は、上述の「カバー」と「外側容器」が湿気遮断状態で接着されて、外側容器の開口部が閉じられているコンテナをも含む。従って、この場合、上述のコンテナは、湿気硬化型ホットメルト接着剤を含み、カバーと外側容器は湿気遮断状態で接着されて、外側容器の開口部が閉じられていることとなり、本発明は、そのようなコンテナをも提供する。
【００３７】
「内側容器」は、「カバー」と「外側容器」が接着される際は、「外側容器」の開放空間内に収納される。
また「湿気遮断性」とは、上述した通りである。
更に「湿気遮断状態で接着」とは、「湿気遮断性」を保てる接着方法を用いて接着することを意味し、そのような接着方法であれば、特に制限されるものではない。そのような接着方法として、例えば、透湿性の低い接着剤を用いて接着する方法を用いることができ、好ましくはヒートシールを用いることができる。尚、「透湿性の低い接着剤」は、既に、例示した。
【００３８】
本発明の「湿気硬化型ホットメルト接着剤用コンテナ」は、例えば、以下のように製造され、使用される。
外側容器の開放空間内に内側容器を収納した後、溶融状態の湿気硬化型ホットメルト接着剤を内側容器の空間部に充填し、固化させる。次に、外側容器の開口部をカバーで覆い、湿気遮断性に接着する。この際、窒素ガス等の不活性ガスを充填しながら接着してもよい。
【００３９】
尚、本発明は、上述のコンテナに使用する内側容器を提供する。
更に、本発明は、上述のコンテナに使用する外側容器を提供する。
また、本発明は、上述のコンテナに使用するカバーを提供する。
【００４０】
更に、添付した図面を参照しながら、より詳細に本発明を説明する。
図１は、本発明の湿気硬化型ホットメルト接着剤用コンテナの一つの態様の概略図を示す。湿気硬化型ホットメルト接着剤用コンテナ１は、内側容器１０、外側容器２０及びカバー３０を有してなる。外側容器２０の上に内側容器１０が示され、内側容器１０の上にカバー３０が示されている。内側容器１０は、湿気硬化型ホットメルト接着剤を収容する空間部を有し、内側容器１０の形状は、その開口部の面積が、底部の面積より大きい四角錐台である。角は全て面取りされている。溶融状態の湿気硬化型ホットメルト接着剤を収容することを考慮して、内側容器１０は、耐熱性が１３０℃のポリプロピレン製である。内側容器１０を外側容器２０から取り出す際の取り出し易さを考慮して、内側容器１０の側壁の厚さは、０．２ｍｍであり、変形容易である。更に、内側容器１０の開口部にフランジ１２が設けられている。更に、湿気硬化型ホットメルト接着剤を収容する空間を規定する内側表面が、シリコン処理を用いて離型処理されている。
【００４１】
外側容器２０は、開口部及び内側容器を完全に収容する開放空間を有する。外側容器２０の形状は、内側容器１０と同様に、その開口部の面積が、底部の面積より大きい四角錐台であり、角は全て面取りされている。外側容器２０の大きさは、内側容器１０を完全に収容することを考慮して、内側容器１０より少し大きく、ちょうど内側容器１０を収容できる大きさとされている。外側容器２０は、内側容器１０を収容し、自立性であり、湿気遮断性を有することを考慮して、アルミニウム製であり、内壁の厚さは、０．５ｍｍである。収容する内側容器１０の取り出しやすさを考慮して開口部に隣接して側面に窪み２２を有する。この外側容器２０では、側面一つ当たり二つづつの窪みを設けているので、合計８個の窪みが設けられている。また、後述するカバー３０と外側容器２０の開口部の接着し易さを考慮して、開口部の周囲にフランジ２４が設けられている。
【００４２】
カバー３０は、外側容器２０を覆い、湿気遮断性を有することを考慮して、厚さ０．１ｍｍのアルミニウムシート製であって、四角形であり、その大きさは、外側容器２０の開口部の周囲のフランジ２４より少し大きい。更に、カバー３０は、後ほど外側容器２０のフランジ２４とヒートシールすることで接着されることから、ＥＶＡ樹脂がカバーの下面にラミネートされている。カバー３０は、通常の保管及び使用条件では、破れない程度の強度を有している。
【００４３】
図２は、カバーと外側容器の開口部が、ヒートシールによって湿気遮断状態で接着されて、封じられた、本発明の湿気硬化型ホットメルト接着剤用コンテナの一つの態様の概略図を示している。図１に示した本発明の湿気硬化型ホットメルト接着剤用コンテナ１に関し、外側容器２０の開放空間に内側容器１０が収容され、内側容器１０の空間部に溶融された湿気硬化型ホットメルト接着剤が充填された後（湿気硬化型ホットメルト接着剤は図示されていない）、カバー３０で外側容器２０の開口部が覆われる。次に、カバー３０と外側容器２０のフランジ２４がヒートシールされて、カバーと外側容器の開口部は湿気遮断状態で接着される。符号３２は、ヒートシールによって「カバー」に生じた痕を示している。
【００４４】
図３は、カバーと外側容器の開口部が、ヒートシールによって湿気遮断状態で接着されて、封じられた後、封が開けられた本発明の湿気硬化型ホットメルト接着剤用コンテナの一つの態様の概略図を示している。図２に示したヒートシールによって封じられた、湿気硬化型ホットメルト接着剤用コンテナ１に関し、カバー３０の一部を手で持って、外側容器２０からカバー３０を剥離することで、容易に封を開けることができる。図３では、外側容器２０の開放空間に内側容器１０が収容されており、内側容器１０のフランジ１２によって外側容器２０の窪み２２が半分隠れている。従って、内側容器１０を外側容器２０から取り出す際は、窪み２２とフランジ１２の間に指を入れることができ、また、内側容器１０は、変形可能なので、内側容器１０を外側容器２０から容易に取り出すことができる。尚、図３では、内側容器１０の空間部に収容されている湿気硬化型ホットメルト接着剤は図示されていない。
【００４５】
【発明の効果】
本発明は、以上説明したような構成を有するので、以下に記載されるような効果を奏する。
外側容器とカバーは、共に湿気遮断性であり、カバーと外側容器の開口部は、湿気遮断状態で接着されるので、密閉を十分に行えないという問題が緩和され実質的に解消され得る。
密封袋を使用する必要が無いので、取り扱いに手間がかかるという問題が緩和され実質的に解消され得る。
密封袋を使用する必要が無いので、ごみの発生を減らすことができ、更に、内側容器及び外側容器は再利用可能なので、リサイクルに必ずしも適さないという問題が緩和され実質的に解消され得る。
【００４６】
内側容器が、８０℃以上の耐熱性を有する場合、加熱溶融した接着剤を充填した際に、容器が熱によって溶融するという問題が緩和され実質的に解消され得る。
外側容器が、開口部の周囲にフランジを有する場合、カバーと外側容器の密封が容易となり、また、密封の解除も容易となる。更に、外側容器が、開口部に隣接して側面に窪みを有する場合、内側容器の取り出しが容易となる。従って、取り扱いに手間がかかるという問題がより緩和され実質的に解消され得る。
内側容器と外側容器が、共に錐台であって、開口部の面積が底部の面積よりも大きい形状を有する場合、使用後に内側容器同士、外側容器同士を積み重ねることで、容器の保管及び運搬を容易にすることができるので、リサイクルに必ずしも適さないという問題がより緩和され実質的に解消され得る。
カバーと外側容器の開口部が、ヒートシールで湿気遮断状態で接着される場合、密閉を十分に行えないという問題がより緩和され実質的に解消され得る。
【図面の簡単な説明】
【図１】本発明の湿気硬化型ホットメルト接着剤用コンテナの一つの態様の概略図。
【図２】カバーと外側容器の開口部が、ヒートシールによって湿気遮断状態で接着されて、封じられた、本発明の湿気硬化型ホットメルト接着剤用コンテナの一つの態様の概略図。
【図３】カバーと外側容器の開口部が、ヒートシールによって湿気遮断状態で接着されて、封じられた後、封が開けられた本発明の湿気硬化型ホットメルト接着剤用コンテナの一つの態様の概略図。
【符号の説明】
１  湿気硬化型ホットメルト接着剤用コンテナ、
１０  内側容器、
１２  フランジ、
２０  外側容器、
２２  窪み、
２４  フランジ、
３０  カバー
３２  ヒートシールによって生じた痕
【図１】
0003614815.tif 000002
【図２】
0003614815.tif 000003
【図３】
0003614815.tif 000004